(57)【要約】      （修正有）【課題】複数のブローモジュールを備える回転式ハンドル付ボトルブロー成形機に整列済みのハンドルを供給する回転式ハンドル付ボトルブロー成形機を提供する。【解決手段】未整列の複数のハンドルを投入盤３１に供給する少なくとも１つのハンドル輸送モジュールと、ブローモジュール２０のそれぞれに設けられた整列モジュール３０を備える。１つの前記整列モジュールと１つの前記ブローモジュールとによって共同モジュールを形成し、前記整列モジュールのそれぞれは前記ハンドル輸送モジュールから受け取った前記ハンドルを整列させて、整列済みのハンドルを対応する前記複数のブローモジュールに供給する。これにより、前記ハンドルの高速整列が回転式ハンドル付ボトルブロー成形機１０の高速化のボトルネックとなる状況を回避することができる。【選択図】図３
0003169074.tif 000002
【実用新案登録請求の範囲】
【請求項１】
整列済みの複数のハンドル（８０）をハンドル付ボトルブロー成形機（１０）に供給するために用いるハンドル付ボトルブロー成形機（１０）用ハンドル整列装置であって、前記ハンドル付ボトルブロー成形機（１０）は、回転体（１５）に設けられた複数のブローモジュール（２０）を備え、
前記ハンドル整列装置は、未整列の前記複数のハンドル（８０）を提供する少なくとも１つのハンドル輸送モジュール（９０）と、
前記ブローモジュール（２０）のそれぞれに設けられた整列モジュール（３０）と、を備え、
１つの前記整列モジュール（３０）と１つの前記ブローモジュール（２０）とによって共同モジュールをそれぞれ形成し、
前記整列モジュール（３０）のそれぞれは、前記ハンドル輸送モジュール（９０）から受け取った前記ハンドル（８０）を整列させて、整列済みの前記複数のハンドル（８０）を、対応する前記ブローモジュール（２０）に供給する
ことを特徴とする、ハンドル付ボトルブロー成形機用ハンドル整列装置。
【請求項２】
前記整列モジュール（３０）のそれぞれは、投入盤（３１）、整列経路（３２）、一時保存区域（３３）、分離装置（３４）、移載装置（３５）を含み、前記ハンドル輸送モジュール（９０）は、前記整列モジュール（３０）のいずれかの前記投入盤（３１）上方に設置され、未整列の前記複数のハンドル（８０）を提供して前記投入盤（３１）内に進入させ、前記整列経路（３２）は、前記複数のハンドル（８０）を整列させて前記一時保存区域（３３）内に一時保存すること
を特徴とする、請求項１に記載のハンドル付ボトルブロー成形機用ハンドル整列装置。
【請求項３】
前記整列経路（３２）は、異なる方向の整列を順に行う第１方向整列経路（３２１）及び第２方向整列経路（３２２）を含むこと
を特徴とする、請求項２に記載のハンドル付ボトルブロー成形機用ハンドル整列装置。
【請求項４】
前記一時保存区域（３３）の下方に分離装置（３４）が設置され、前記分離装置（３４）は、前記一時保存区域（３３）内の前記複数のハンドル（８０）のうち先入先出方式で１度に１つの整列が完了した前記ハンドル（８０）を前記移載装置（３５）上に載せる
ことを特徴とする、請求項２に記載のハンドル付ボトルブロー成形機用ハンドル整列装置。
【請求項５】
整列が完了した前記ハンドル（８０）は、前記移載装置（３５）により、対応する前記ブローモジュール（２０）内に移載して一時保存される
ことを特徴とする、請求項４に記載のハンドル付ボトルブロー成形機用ハンドル整列装置。
【考案の詳細な説明】
【技術分野】
【０００１】
本考案はハンドル付ボトルブロー成形機に関し、特に、ハンドル付ボトルブロー成形機用ハンドル整列装置に関する。
【背景技術】
【０００２】
回転式ボトルブロー成形機は生産量が大きく、設置場所を狭くできる等の利点があり、すでに日常生活中の各種液体を装填するボトルの製造に広く使用されている。大容量のボトル１を例として見ると、図１に示すように、ボトル１上にはハンドル２を設けることができ、ハンドル２でボトル１を容易に掴み、使用することができる。
【０００３】
従来のハンドル付ボトルブロー成形機は多くが手動でハンドルを植え込むものか、直線式のハンドル付ボトルブロー成形機であり、ハンドル付ボトルブロー成形機は現在商業的利用がほとんどなされておらず、この主な原因となるボトルネックはハンドル整列速度が回転式ボトルブロー成形機の高い量産速度に追い付かないことにある。さらに、回転式ボトルブロー成形機のほか別途ハンドル整列機構を設置し、整列が完了したハンドルを一定方向に維持して逐一高速で同期させて回転式ボトルブロー成形機に移載し、対応するブローモジュールを使用する必要があり、難易度が高く、実施が容易でないほか、設備が巨大になり、製造コストが高くなる等の問題がある。
【考案の概要】
【考案が解決しようとする課題】
【０００４】
このため、本考案の目的は、上述の従来のボトルネックに対してハンドル付ボトルブロー成形機内に設置する複数の整列モジュールを開発し、この複数の整列モジュール個数は複数のブローモジュールと同数とし、複数の共同モジュールを形成し、前記各整列モジュールは整列が完了した前記ハンドルを対応するブローモジュールに供給するだけでよく、これによりハンドル付ボトルブロー成形機の高速同期プロセスのボトルネックを打ち破ることができる、ハンドル付ボトルブロー成形機のハンドル整列装置を提供する。
【課題を解決するための手段】
【０００５】
上述の目的を達するため、本考案はハンドル付ボトルブロー成形機用ハンドル整列装置を提供する。
本考案のハンドル付ボトルブロー成形機用ハンドル整列装置は、複数の整列済みのハンドルをハンドル付ボトルブロー成形機に供給するために用いられる。
前記ハンドル付ボトルブロー成形機は、回転体（１５）に設けられた複数のブローモジュールを備える。本考案のハンドルの整列装置は、未整列の前記複数のハンドルを提供する少なくとも１つのハンドル輸送モジュールと、前記ブローモジュールのそれぞれに設けられた整列モジュールとを備える。１つの前記整列モジュールと１つの前記ブローモジュールとによって共同モジュールをそれぞれ形成し、前記整列モジュールのそれぞれは、前記ハンドル輸送モジュールから受け取った前記ハンドルを整列させて、整列済みの前記複数のハンドルを、対応する前記ブローモジュールに供給する。
【０００６】
本考案のハンドル付ボトルブロー成形機用ハンドル整列装置は、前記整列モジュールのそれぞれは、投入盤、整列経路、一時保存区域、分離装置、移載装置を含み、前記ハンドル輸送モジュールは、前記整列モジュールのいずれかの前記投入盤上方に設置され、未整列の前記複数のハンドルを提供して前記投入盤内に進入させ、前記整列経路は、前記複数のハンドルを整列させて前記一時保存区域内に一時保存することを特徴とする。
【０００７】
本考案のハンドル付ボトルブロー成形機用ハンドル整列装置は、前記整列経路は、異なる方向の整列を順に行う第１方向整列経路及び第２方向整列経路を含むことを特徴とする。
【０００８】
本考案のハンドル付ボトルブロー成形機用ハンドル整列装置は、前記一時保存区域の下方に分離装置が設置され、前記分離装置は、前記一時保存区域内の前記複数のハンドルのうち先入先出方式で１度に１つの整列が完了した前記ハンドルを前記移載装置上に載せることを特徴とする。
【０００９】
本考案のハンドル付ボトルブロー成形機用ハンドル整列装置は、整列が完了した前記ハンドルは、前記移載装置により、対応する前記ブローモジュール内に移載して一時保存されることを特徴とする。
【考案の効果】
【００１０】
これにより、本考案は１つの前記整列モジュールと１つの前記ブローモジュールとによって共同モジュールをそれぞれ形成し、前記整列モジュールと前記ブローモジュールが共に回動するため、本考案は前記整列モジュールと前記ブローモジュール間にハンドルの高速同期移載の問題がない。且つ前記整列モジュールが前記複数のハンドルをそれぞれ整列させるため、ハンドル付ボトルブロー成形機の１回のサイクルタイム内で、前記整列モジュールは１つのハンドルを整列すればよく、このため前記ハンドルに対して整列を行う充分な時間があり、前記ハンドルの高速整列がハンドル付ボトルブロー成形機の高速化のボトルネックとなる状況を回避することができる。
【図面の簡単な説明】
【００１１】
【図１】従来のハンドル付ボトルの斜視図である。
【図２】本考案のハンドル付ボトルブロー成形機の斜視図である。
【図３】本考案の整列モジュールの機構を示す斜視図である。
【図４Ａ】本考案の第１方向整列経路に係る実施例１の断面図１である。
【図４Ｂ】本考案の第１方向整列経路に係る実施例１の断面図２である。
【図４Ｃ】本考案の第１方向整列経路に係る実施例１の断面図３である。
【図５Ａ】本考案の第１方向整列経路に係る実施例２の断面図１である。
【図５Ｂ】本考案の第１方向整列経路に係る実施例２の断面図２である。
【図５Ｃ】本考案の第１方向整列経路に係る実施例２の断面図３である。
【図６Ａ】本考案の第２方向整列経路機構の斜視図１である。
【図６Ｂ】本考案の第２方向整列経路機構の斜視図２である。
【図７】本考案のハンドルの一時保存区域への進入を示す斜視図である。
【図８】本考案のハンドルの移載装置への進入を示す斜視図である。
【図９】本考案のハンドルのブローモジュールへの移載を示す斜視図である。
【図１０】本考案のハンドルがブローモジュールに一時保存された状態を示す斜視図である
【考案を実施するための形態】
【００１２】
本考案の詳細な内容及び技術について、実施例を参照してさらに説明するが、前記実施例は例示説明のためのものであり、本考案の実施を限定すると理解されてはならないことに注意する。
【００１３】
図２は、ハンドル付ボトルブロー成形機の斜視図、図３は、整列モジュールの機構を示す斜視図である。図２と図３に示すように、本考案は、整列済みの複数のハンドル８０をハンドル付ボトルブロー成形機１０に供給するために用いられる。前記ハンドル付ボトルブロー成形機１０は、回転体（１５）に設けられた複数のブローモジュール２０を備える。本実施例は８つのブローモジュール２０を例として説明するが、実施はこれに限定されない。本考案の前記ハンドル整列装置は、少なくとも１つのハンドル輸送モジュール９０と、複数のブローモジュール２０のそれぞれに設けられた整列モジュール３０と、を備える。ハンドル輸送モジュール９０は未整列の複数のハンドル８０を提供し、ハンドル輸送モジュール９０の個数はブローモジュール２０の個数を超えない。１つの整列モジュール３０と１つのブローモジュール２０とによって共同モジュールをそれぞれ形成する。また、整列モジュール３０のそれぞれは、ハンドル輸送モジュール９０から受け取ったハンドル８０を整列させて、整列済みの複数のハンドル８０を、対応する複数のブローモジュール２０に供給する。
【００１４】
また、本考案の整列モジュール３０は、それぞれ投入盤３１、整列経路３２、一時保存区域３３、分離装置３４、移載装置３５を含む。図４Ａ及び図６Ａに示すように、整列経路３２は第１方向整列経路３２１と第２方向整列経路３２２を含み、水平、鉛直、奥行きの３平面のうち、１平面が対称で、他の２平面が非対称の形状を有するハンドルに対して整列を行うことができる。またハンドル輸送モジュール９０はいずれかの整列モジュール３０のいずれかの投入盤３１上方に設置され、未整列の複数のハンドル８０を投入盤３１内に進入させる。即ち、ハンドル輸送モジュール９０は相互に対応する複数の整列モジュール３０の必要に基づいて複数設置し、ハンドル輸送モジュール９０がそれぞれ同時に、未整列の複数のハンドル８０を、それぞれ異なる投入盤３１に提供して整列を行わせることができる。
【００１５】
図４Ａ、図４Ｂ、及び図４Ｃは、第１方向整列経路実施例１の断面図１、断面図２及び断面図３であり、また、図５Ａ、図５Ｂ及び図５Ｃは、第１方向整列経路実施例２の断面図１、断面図２及び断面図３であり、図６Ａ及び図６Ｂは、第２方向整列経路機構の斜視図１及び斜視図２、図７は、ハンドルの一時保存区域への進入を示す斜視図である。図４Ａ乃至図４Ｃ、図５Ａ乃至図５Ｃ、図６Ａ、図６Ｂ、及び図７に示すように、整列経路３２は、ハンドル８０を整列させて一時保存区域３３に一時保存する。そのうち、ハンドル８０の整列は、重力でハンドル８０を上から下に落下させる過程において、予め設けた複数のガイド板３２１１の導引により整列させる(図４Ａ乃至図４Ｃ参照)。図４Ａは本考案の第１方向整列経路３２１の可能な実施例の１つの断面図であり、複数のガイド板３２１１がハンドル８０の方向を制限し、ハンドル８０を整列させる。また複数のガイド板３２１１は螺旋ガイド３２１２で代替しても(図５Ａ乃至図５Ｃ参照)、同じ整列効果が得られる。
【００１６】
さらに、本実施例に示すように、ハンドル８０は１平面が対称で、他の２平面が非対称の形状を有するハンドルであるため、ハンドル８０はさらに第２方向整列経路３２２を経由して第２方向の整列を完了することができる。図６Ａ、及び図６Ｂは本考案の第２方向整列経路３２２の実施例の１つであり、スクリュー３２２１、ピボット３２２２、反転座部３２２３を含み、そのうち、ハンドル８０を反転座部３２２３内に収容し、且つスクリュー３２２１の駆動により、ピボット３２２２が回動されて反転座部３２２３を動かし、ハンドル８０を反転させてハンドル８０を整列することができる。ハンドル８０は整列後一時保存区域３３に一時保存することができる(図７参照)。
【００１７】
図８は、ハンドルの移載装置への進入を示す斜視図、図９は、ハンドルのブローモジュールへの移載を示す斜視図、図１０は、ハンドルがブローモジュールに一時保存された状態を示す斜視図である。図８乃至図１０に示すように、一時保存区域３３の底部下方に分離装置３４が設置され、分離装置３４は先入先出方式で、一度に１つの整列が完了したハンドル８０を移載装置３５上に載せる(図８参照)。また、移載装置３５を利用してハンドル８０をブローモジュール２０まで移載し(図９参照)、ハンドル８０をブローモジュール２０内に一時的に保存して(図１０参照)、ボトルブローの過程で一時的に保存されたハンドル８０をブローモジュール２０内に植え込み、位置決め固定することができる。
【００１８】
上述のように、本考案はブローモジュール２０の個数に基づいて同じ個数の整列モジュール３０を設置するため、１つの整列モジュール３０と１つのブローモジュール２０とによって共同モジュールを形成し、１つの整列モジュール３０と１つのブローモジュール２０とを共に回動させることができる。このため、整列モジュール３０とブローモジュール２０間にハンドルの高速同期移載の問題が生じない。また、整列モジュール３０は、それぞれが前記複数のハンドルを整列させるため、ハンドル付ボトルブロー成形機１０が１回回動するサイクルタイム内に、各整列モジュール３０は１つのハンドルを整列させればよく、このため、本考案は前記ハンドルに対して整列を行う充分な時間があり、前記ハンドルの高速整列がハンドル付ボトルブロー成形機の高速化のボトルネックとなる状況を回避することができる。
【符号の説明】
【００１９】
１        ボトル
２        ハンドル
１０      ハンドル付ボトルブロー成形機
１５      回転体
２０      ブローモジュール
３０      整列モジュール
３１      投入盤
３２      整列経路
３３      一時保存区域
３４      分離装置
３５      移載装置
８０      ハンドル
９０      ハンドル輸送モジュール
３２１    方向整列経路
３２２    方向整列経路
３２１１  ガイド板
３２１２  螺旋ガイド
３２２１  スクリュー
３２２２  ピボット
３２２３  反転座部
【図１】
0003169074.tif 000003
【図２】
0003169074.tif 000004
【図３】
0003169074.tif 000005
【図４Ａ】
0003169074.tif 000006
【図４Ｂ】
0003169074.tif 000007
【図４Ｃ】
0003169074.tif 000008
【図５Ａ】
0003169074.tif 000009
【図５Ｂ】
0003169074.tif 000010
【図５Ｃ】
0003169074.tif 000011
【図６Ａ】
0003169074.tif 000012
【図６Ｂ】
0003169074.tif 000013
【図７】
0003169074.tif 000014
【図８】
0003169074.tif 000015
【図９】
0003169074.tif 000016
【図１０】
0003169074.tif 000017
【手続補正書】
【提出日】平成23年5月9日(2011.5.9)
【手続補正１】
【補正対象書類名】実用新案登録請求の範囲
【補正対象項目名】全文
【補正方法】変更
【補正の内容】
【実用新案登録請求の範囲】
【請求項１】
整列済みの複数のハンドル（８０）をハンドル付ボトルブロー成形機（１０）に供給するために用いるハンドル付ボトルブロー成形機（１０）用ハンドル整列装置であって、前記ハンドル付ボトルブロー成形機（１０）は、回転体（１５）に設けられた複数のブローモジュール（２０）を備え、
前記ハンドル整列装置は、未整列の前記複数のハンドル（８０）を提供する少なくとも１つのハンドル輸送モジュール（９０）と、
前記ブローモジュール（２０）のそれぞれに設けられた整列モジュール（３０）と、を備え、
１つの前記整列モジュール（３０）と１つの前記ブローモジュール（２０）とによって共同モジュールをそれぞれ形成し、
前記整列モジュール（３０）のそれぞれは、投入盤（３１）、整列経路（３２）、一時保存区域（３３）、分離装置（３４）、移載装置（３５）を含み、
前記ハンドル輸送モジュール（９０）は、前記整列モジュール（３０）のいずれかの前記投入盤（３１）の上方に設置され、前記投入盤（３１）の下方に設置された前記整列経路（３２）は、前記複数のハンドル（８０）を整列させて前記一時保存区域（３３）内に一時保存し、前記一時保存区域（３３）の下方に設置された前記分離装置（３４）は、整列が完了した前記ハンドル（８０）を前記分離装置（３４）の下方に設置された前記移載装置（３５）上に載せ、前記移載装置（３５）は、整列済みの前記複数のハンドル（８０）を対応する前記ブローモジュール（２０）に供給する
ことを特徴とする、ハンドル付ボトルブロー成形機用ハンドル整列装置。
【請求項２】
前記整列経路（３２）は、異なる方向の整列を順に行う第１方向整列経路（３２１）及び第２方向整列経路（３２２）を含むこと
を特徴とする、請求項１に記載のハンドル付ボトルブロー成形機用ハンドル整列装置。
【請求項３】
前記一時保存区域（３３）の下方に前記分離装置（３４）が設置され、前記分離装置（３４）は、前記一時保存区域（３３）内の前記複数のハンドル（８０）のうち先入先出方式で１度に１つの整列が完了した前記ハンドル（８０）を前記移載装置（３５）上に載せる
ことを特徴とする、請求項１に記載のハンドル付ボトルブロー成形機用ハンドル整列装置。
【請求項４】
整列が完了した前記ハンドル（８０）は、前記移載装置（３５）により、対応する前記ブローモジュール（２０）内に移載して一時保存される
ことを特徴とする、請求項３に記載のハンドル付ボトルブロー成形機用ハンドル整列装置。
【手続補正２】
【補正対象書類名】明細書
【補正対象項目名】０００５
【補正方法】変更
【補正の内容】
【０００５】
上述の目的を達するため、本考案はハンドル付ボトルブロー成形機用ハンドル整列装置を提供する。
本考案のハンドル付ボトルブロー成形機用ハンドル整列装置は、複数の整列済みのハンドルをハンドル付ボトルブロー成形機に供給するために用いられる。
前記ハンドル付ボトルブロー成形機は、回転体（１５）に設けられた複数のブローモジュールを備える。本考案のハンドルの整列装置は、未整列の前記複数のハンドルを提供する少なくとも１つのハンドル輸送モジュールと、前記ブローモジュールのそれぞれに設けられた整列モジュールとを備える。１つの前記整列モジュールと１つの前記ブローモジュールとによって共同モジュールをそれぞれ形成し、前記整列モジュールのそれぞれは、投入盤、整列経路、一時保存区域、分離装置、移載装置を含み、前記ハンドル輸送モジュールは、前記整列モジュールのいずれかの前記投入盤の上方に設置され、前記投入盤の下方に設置された前記整列経路は、前記複数のハンドルを整列させて前記一時保存区域内に一時保存し、前記一時保存区域の下方に設置された前記分離装置は、整列が完了した前記ハンドルを前記分離装置の下方に設置された前記移載装置上に載せ、前記移載装置は、整列済みの前記複数のハンドルを対応する前記ブローモジュールに供給する。
【手続補正３】
【補正対象書類名】明細書
【補正対象項目名】０００６
【補正方法】削除
【補正の内容】